(57)【特許請求の範囲】
【請求項１】
ヒートポンプ給湯機によって加熱した湯を貯湯タンクへ貯湯するとともに補助熱源とし
て熱交換器を有する燃焼式の温水ヒータを付設し、貯湯タンクから給湯栓への給湯配管の
途中に水と混合して所定温度にするミキシングバルブを設けるとともに、給湯配管に戻り
配管を接続して循環させ、常時一定の温度の湯を給湯栓へ供給するため、戻り配管内の湯
を加温するための手段を設けたハイブリッド給湯装置の保温装置において、該戻り配管の
端末を給湯配管の該ミキシングバルブの下流側へ連結し、戻り配管の途中に副ミキシング
バルブを設け、戻り配管の該副ミキシングバルブの上流側に、貯湯タンクから温水ヒータ
の熱交換器へ接続した低温管に連通する分岐配管を設け、該熱交換器から貯湯タンクへ接
続する注湯管と該副ミキシングバルブとを高温管で接続したことを特徴とするハイブリッ
ド給湯装置の保温装置。
【請求項２】
前記温水ヒータは、戻り配管内の湯温が所定温度以下になったときに作動させるため、
前記貯湯タンクから温水ヒータの熱交換器へ接続した低温管に連通する分岐配管中に温度
センサを設けたことを特徴とする請求項１に記載のハイブリッド給湯装置の保温装置。
【請求項３】
ヒートポンプ給湯機によって加熱した湯を貯湯タンクへ貯湯するとともに補助熱源とし
て熱交換器を有する燃焼式の温水ヒータを付設し、貯湯タンクから給湯栓への給湯配管の
途中に水と混合して所定温度にするミキシングバルブを設けるとともに、給湯配管に戻り
配管を接続して循環させ、常時一定の温度の湯を給湯栓へ供給するため、戻り配管内の湯
を加温するための手段を設けたハイブリッド給湯装置の保温装置において、該温水ヒータ
に該熱交換器のほかに副熱交換器を設け、該戻り配管の端末を該ミキシングバルブへ連結
し、戻り配管の途中に該副熱交換器の入口側へ接続する分岐配管を設けるとともに、副熱
交換器の出口側の高温管を該ミキシングバルブの上流側の給湯配管へ接続したことを特徴
とするハイブリッド給湯装置の保温装置。
【請求項４】
ヒートポンプ給湯機によって加熱した湯を貯湯タンクへ貯湯するとともに補助熱源とし
て熱交換器を有する燃焼式の温水ヒータを付設し、貯湯タンクから給湯栓への給湯配管の
途中に水と混合して所定温度にするミキシングバルブを設けるとともに、給湯配管に戻り
配管を接続して循環させ、常時一定の温度の湯を給湯栓へ供給するため、戻り配管内の湯
を加温するための手段を設けたハイブリッド給湯装置の保温装置において、該温水ヒータ
に該熱交換器のほかに副熱交換器を設け、該戻り配管の端末を給湯配管の該ミキシングバ
ルブの下流側へ連結し、戻り配管の途中に副ミキシングバルブを設け、戻り配管の該副ミ
キシングバルブの上流側に、該副熱交換器の入口側へ接続する分岐配管を設け、該副熱交
換器の出口側の高温管を該副ミキシングバルブへ連結したことを特徴とするハイブリッド
給湯装置の保温装置。
【請求項５】
前記温水ヒータの熱交換器を、戻り配管内の湯温が所定温度以下になったときに作動さ
せるため、前記戻り配管から副熱交換器へ接続した分岐配管中に温度センサを設けたこと
を特徴とする請求項３または請求項４に記載のハイブリッド給湯装置の保温装置。
【発明の詳細な説明】
【技術分野】
【０００１】
本発明は、ヒートポンプ給湯機と温水ヒータとを用いて貯湯タンクへ貯湯するハイブリ
ッド給湯装置に係り、特に給湯配管内の湯を保温する装置に関するものである。
【背景技術】
【０００２】
ヒートポンプ給湯機は、外気を取り込んで暖めたＣＯ２を圧縮して高温にし、熱交換器
を介して水を温めるようにしたもので、電気ヒータに比べ少ない電力で湯を造ることがで
きる。
ホテルなど業務用では、夜間電力を使用して、ヒートポンプ給湯機で湯を貯湯タンクに
貯め、昼間の使用に備えている。しかし、給湯負荷は、季節、曜日などにより大きく変動
するので、これに対応するため、ヒートポンプ給湯機に油またはガスを燃料とする燃焼式
の温水ヒータを付設した給湯装置（以下、「ハイブリッド給湯装置」という）が一般に使
用されている。
【０００３】
また、業務用では、給湯栓を操作すれば直ちに湯がでることが求められているので、給
湯栓への給湯配管に戻り配管を接続して循環させ、循環管路内の湯をレジオネラ菌が繁殖
しない温度（５５〜６５度Ｃ）に保持するための手段が設けられている。
従来、この手段は、戻り配管路中に電熱ヒータを備えた補助タンクを設けるのが一般的
であったが、設備費用および電熱ヒータによる電気料が嵩むという問題がある。
特に、戻り配管が長い場合や冬期に気温の低い地域では問題視され、これを解決するもの
として、貯湯タンクの湯で戻り配管の湯を加温する（例えば、特許文献１、特許文献２）
ようにしたものが開発されている。
【０００４】
特許文献２のハイブリッド給湯装置の保温装置は、図６に示すように、貯湯タンク１か
ら給湯栓４への給湯管５１に戻り配管５２を接続して循環路を形成し、戻り配管５２に貯
湯タンク１へ接続する返湯管５３を設けている。なお、図６中、２はヒートポンプ給湯機
、３は温水ヒータ、５はミキシングバルブ、６は給水源、５５は循環ポンプである。
【先行技術文献】
【特許文献】
【０００５】
【特許文献１】特開２００７−１７０７７０号公報
【特許文献２】特開２００８−１５７４７１号公報
【発明の開示】
【発明が解決しようとする課題】
【０００６】
特許文献２に示す貯湯式給湯装置は、ミキシングバルブ５を介する給湯配管５１に戻り
配管５２を接続して循環路を形成するとともに、貯湯タンク１へ返湯管５３で接続すると
いう簡便な構成により、給湯栓４から常に一定温度の湯を供給することができる。
しかしながら、返湯管５３で貯湯タンク１へ戻される湯は、ミキシングバルブ５を介し
て５５〜６５度Ｃであり、貯湯タンク１から供給される湯（約９０度Ｃ）に比べ、かなり
低いものである。さらに、循環路内の湯は、そのものが加温されるのではなく、新たに貯
湯タンク１から送られた高温の湯をミキシングバルブ５で給水管６から冷水と混合したも
のと置き換えられることによって湯温が保持されるものである。
このため、返湯管５３から貯湯タンク１へ戻される湯によって貯湯タンク内の湯が掻き
混ぜられ、貯湯タンク１内の湯温が短時間で低下するという問題がある。
【０００７】
そこで、本発明は、貯湯タンク内の湯温を低下させることなく、しかも、特別な設備を
設けることなく、給湯配管内の湯温を所定の温度に保持するようにしたハイブリッド給湯
装置の保温装置を提供することを目的としている。
【課題を解決するための手段】
【０００８】
本発明は、給湯配管に戻り配管を接続して循環させるとともに、戻り配管を温水ヒータ
に接続し、戻り配管内の湯を温水ヒータの熱交換器を用いて加温するものである。
なお、この装置に使用される配管は、種々あり紛らわしくなるので、給水管、注湯管、
給湯配管、戻り配管、低温管、高温管、分岐管、分岐配管といった名称を付したが、それ
ぞれに格別の意味があるわけではない。また、副熱交換器、副ミキシングバルブも複数個
あるので区別するために付けた名称であり、熱交換器、ミキシングバルブと機能的に差が
あるわけではない。
【０００９】
削除
【００１０】
削除
【００１１】
上記目的を達成するために、請求項１の発明のハイブリッド給湯装置の保温装置は、次のように構成した。すなわち、ヒートポンプ給湯機によって加熱した湯を貯湯タンクへ貯湯するとともに補助熱源として熱交換器を有する燃焼式の温水ヒータを付設し、貯湯タンクから給湯栓への給湯配管の途中に水と混合して所定温度にするミキシングバルブを設けるとともに、給湯配管に戻り配管を接続して循環させ、常時一定の温度の湯を給湯栓へ供給するため、戻り配管内の湯を加温するための手段を設けたハイブリッド給湯装置の保温装置において、該戻り配管の端末を給湯配管の該ミキシングバルブの下流側へ連結し、戻り配管の途中に副ミキシングバルブを設け、戻り配管の該副ミキシングバルブの上流側に、貯湯タンクから温水ヒータの熱交換器へ接続した低温管に連通する分岐配管を設け、該熱交換器から貯湯タンクへ接続する注湯管と該副ミキシングバルブとを高温管で接続したことを特徴としている。
【００１２】
この発明は、給湯配管に戻り配管を接続して循環路を形成し、戻り配管内にもミキシン
グバルブ（副ミキシングバルブ）を設けて、戻り配管内の湯を温水ヒータの熱交換器を用
いて加温して副ミキシングバルブへ戻すようにしたことを特徴としている。
温水ヒータは、熱交換器を備え、ガスや灯油などを燃焼させて高温にした熱媒水を使用
するものでよい。
なお、温水ヒータには、戻り配管内の湯温が所定温度以下になったときに作動させるた
め、前記貯湯タンクから温水ヒータの熱交換器へ接続した低温管に連通する分岐配管中に
温度センサを設ける（請求項２）とよい。
ミキシングバルブは、貯湯タンクに貯湯された約９０度Ｃの湯を水道水と混合して所定
温度にして吐出するようにしたもので、設定する所定温度は、レジオネラ菌が繁殖しない
５５〜６５度Ｃとする。
【００１３】
請求項３の発明のハイブリッド給湯装置の保温装置は、ヒートポンプ給湯機によって加
熱した湯を貯湯タンクへ貯湯するとともに補助熱源として熱交換器を有する燃焼式の温水
ヒータを付設し、貯湯タンクから給湯栓への給湯配管の途中に水と混合して所定温度にす
るミキシングバルブを設けるとともに、給湯配管に戻り配管を接続して循環させ、常時一
定の温度の湯を給湯栓へ供給するため、戻り配管内の湯を加温するための手段を設けたハ
イブリッド給湯装置の保温装置において、該温水ヒータに該熱交換器のほかに副熱交換器
を設け、該戻り配管の端末を該ミキシングバルブへ連結し、戻り配管の途中に該副熱交換
器の入口側へ接続する分岐配管を設けるとともに、副熱交換器の出口側の高温管を該ミキ
シングバルブの上流側の給湯配管へ接続したことを特徴としている。
【００１４】
この発明は、温水ヒータに該熱交換器のほかに副熱交換器を設け、給湯配管に戻り配管
を接続して循環路を形成するとともに、戻り配管内の湯を該副熱交換器を用いて加温する
ようにしたものである。
なお、温水ヒータには、戻り配管内の湯温が所定温度以下になったときに作動させるた
め、前記戻り配管から副熱交換器へ接続した分岐配管中に、温度センサを設ける（請求項
５）とよい。
【００１５】
請求項４の発明のハイブリッド給湯装置の保温装置は、ヒートポンプ給湯機によって加
熱した湯を貯湯タンクへ貯湯するとともに補助熱源として熱交換器を有する燃焼式の温水
ヒータを付設し、貯湯タンクから給湯栓への給湯配管の途中に水と混合して所定温度にす
るミキシングバルブを設けるとともに、給湯配管に戻り配管を接続して循環させ、常時一
定の温度の湯を給湯栓へ供給するため、戻り配管内の湯を加温するための手段を設けたハ
イブリッド給湯装置の保温装置において、該温水ヒータに該熱交換器のほかに副熱交換器
を設け、該戻り配管の端末を給湯配管の該ミキシングバルブの下流側へ連結し、戻り配管
の途中に副ミキシングバルブを設け、戻り配管の該副ミキシングバルブの上流側に、該副
熱交換器の入口側へ接続する分岐配管を設け、該副熱交換器の出口側の高温管を該副ミキ
シングバルブへ連結したことを特徴としている。
【００１６】
本発明は、温水ヒータに該熱交換器のほかに副熱交換器を設け、給湯配管に戻り配管を
接続して循環させるとともに、戻り配管内にもミキシングバルブ（副ミキシングバルブ）
を設け、戻り配管内の湯を該副熱交換器を用いて加温して該副ミキシングバルブへ戻すよ
うにしたものである。
【発明の効果】
【００１７】
削除
【００１８】
請求項１の発明のハイブリッド給湯装置の保温装置は、戻り配管の端末を給湯配管のミ
キシングバルブの下流側へ連結し、戻り配管の途中に副ミキシングバルブを設け、戻り配
管の副ミキシングバルブの上流側に、貯湯タンクから温水ヒータの熱交換器へ接続した低
温管に連通する分岐配管を設け、熱交換器から貯湯タンクへ接続する注湯管と副ミキシン
グバルブとを高温管で接続したので、副ミキシングバルブと分岐配管などの配管のみの付
設だけで、戻り配管内の湯を一定温度に保持できる。しかも、戻り配管内の湯を加温するために貯湯タンクの湯を用いないので、貯湯タンク内の湯温を低減させることもない。また、戻り配管内の湯は貯湯タンク内の湯量に比べ少ないので、温水ヒータによる戻り配管内の湯の加温に要する費用は従来に比べ僅かなものとなる。
また、副ミキシングバルブがあるので、戻り配管内の湯温を設定温度に精度よく保持できる。また、熱交換器からの湯は、給湯配管へ戻さず副ミキシングバルブへ戻しており、給湯栓から出湯してないときは給湯配管内のミキシングバルブは作動しないので、水道水の吸込みがなく、温水ヒータの作動を減らすことができる。
また、戻り配管内の湯温を検知して温水ヒータを作動させるようにすれば（請求項２）、温水ヒータの作動をさらに減らすことができる。
【００１９】
請求項３の発明のハイブリッド給湯装置の保温装置は、温水ヒータに熱交換器のほかに
副熱交換器を設け、該戻り配管の端末を該ミキシングバルブへ連結し、戻り配管の途中に
該副熱交換器の入口側へ接続する分岐配管を設けるとともに、副熱交換器の出口側の高温
管を該ミキシングバルブの上流側の給湯配管へ接続したので、温水ヒータに副熱交換器を
追加するだけで、請求項１の発明と同様の効果を得ることができる。また、貯湯タンク内
の湯の加熱と戻り配管内の湯の加熱を同時に行うことができ、制御が簡素化される。
【００２０】
請求項４の発明のハイブリッド給湯装置の保温装置は、温水ヒータに熱交換器のほかに
副熱交換器を設け、戻り配管の端末を給湯配管のミキシングバルブの下流側へ連結し、戻
り配管の途中に副ミキシングバルブを設け、戻り配管の副ミキシングバルブの上流側に、
副熱交換器の入口側へ接続する分岐配管を設け、副熱交換器の出口側の高温管を副ミキシ
ングバルブへ連結したので、請求項１の発明と同様の効果を得ることができる。また、請
求項３の発明に比べ、戻り配管内の湯温を設定温度に精度よく保持できる。また、給湯配
管内のミキシングバルブは作動しないので、水道水の吸込みがなく、温水ヒータの作動を
減らすことができる。
【図面の簡単な説明】
【００２１】
【図１】この発明のベースとなるハイブリッド給湯装置の保温装置の実施の形態を示す模式的説明図である。
【図２】同、保温装置部の拡大図である。
【図３】同、請求項１の発明のハイブリッド給湯装置の保温装置の実施の形態を示す保温装置部の拡大図である。
【図４】同、請求項３の発明のハイブリッド給湯装置の保温装置の実施の形態を示す保温装置部の拡大図である。
【図５】同、請求項４の発明のハイブリッド給湯装置の保温装置の実施の形態を示す保温装置部の拡大図である。
【図６】従来のハイブリッド給湯装置の保温装置を示す模式的説明図である。
【発明を実施するための形態】
【００２２】
以下、本発明のハイブリッド給湯装置の保温装置の実施の形態について、図面に基づい
て説明する。
図１は、この発明のベースとなるハイブリッド給湯装置の保温装置の実施形態全体を示
す模式的説明図で、図２は、保温装置部の拡大図である。
【００２３】
このハイブリッド給湯装置は、上記従来技術である図６で説明したものと同様であり、
ヒートポンプ給湯機２によって造られた高温の湯を貯湯する貯湯タンク１が設けられ、高
負荷時などに対応するため温水ヒータ３が付設されている。
貯湯タンク１から給湯栓４への給湯配管１３の途中には、ミキシングバルブ５が設けら
れ、給湯配管１３に戻り配管２１が接続され、端末はミキシングバルブ５へ接続され循環
路が形成されている。そして、この戻り配管２１と、貯湯タンク１から温水ヒータ３の熱
交換器３Ａへの配管とを連通する分岐配管２２が接続され、熱交換器３Ａの出口側の配管
１５は、貯湯タンク１からミキシングバルブ５への給湯配管１３へ連結されている。
【００２４】
ヒートポンプ給湯機２は、電動の圧縮機でＣＯ２を圧縮して高温にし、熱交換器で低温
水を加熱するようにしたもので、膨張させて温度低下したＣＯ２に外気の熱を吸熱させて
いる。
そして、ヒートポンプ給湯機２には、給水源６および貯湯タンク１に接続された給水管
１１と、加熱した湯を貯湯タンク１へ送り込むための注湯管１２が接続されている。
【００２５】
貯湯タンク１は、ヒートポンプ給湯機１および温水ヒータ３で加熱された湯を貯留する
タンクであり、下部に給水源６からの給水管１１が接続され、上部には湯を給湯栓４へ供
給するための給湯配管１３が接続されている。
なお、図示してないが、貯湯タンク１内の上部、中央部、下部の３個所に温度センサが
設けられており、この信号は制御盤７へ送られる。
【００２６】
温水ヒータ３は、ガスや灯油で加熱した熱媒水を循環ポンプ１７ａで熱交換器３Ａへ送
り、貯湯タンク１の下部から取り入れた低温水を加熱して、貯湯タンク１の上部へ戻すよ
うにしている。
図中１６，１７は温水ヒータ３の熱媒水を熱交換器３Ａへ循環するため接続した配管で
あり、１４は、貯湯タンク１の下部から熱交換器３Ａへ接続した低温管であり、循環ポン
プ１４ａおよび逆止弁１４ｂが設けられている。そして、１５は、熱交換器３Ａから貯湯
タンク１の上部へ接続した注湯管である。なお、１４ｃ、１５ａは低温管１４、注湯管１
５内の湯温を計測する温度センサで、検知信号は制御盤７へ送られる。
【００２７】
貯湯タンク１から給湯栓４へは給湯配管１３が接続されており、途中にミキシングバル
ブ５が設けられている。そして、給湯配管１３に戻り配管２１を接続してその端末をミキ
シングバルブ５へ戻る循環路を形成し、戻り配管２１の途中には、分岐配管２２が接続さ
れ、その他端は、貯湯タンク１の下部から熱交換器３Ａへ接続した低温管１４へ接続され
ている。
【００２８】
ミキシングバルブ５は、温度差のある湯水を混合させて所定の温度の湯にして取り出せ
るようにしたものである。ここでは、貯湯タンク１からの給湯配管１３と、給水管１１か
ら枝分かれした吸水枝管１１Ａと、給湯栓４を経由した戻り配管２１と接続され、これら
の配管内の湯を混合して給湯栓４への給湯配管１３へ送出している。
【００２９】
なお、図中８は、膨張タンクで、温度変化により給湯配管１３および戻り配管２１内の
圧力が高くならないようにするためのものである。また、２１ａは、ミキシングバルブ５
から下流側の給湯配管１３および戻り配管２１内の湯を循環させるための循環ポンプであ
る。また、この循環路の流量を適宜に調整できるように流量計２１ｃと流量調整弁２１ｂ
が設けられている。
また、制御盤７は、貯湯タンク１内の湯温、温度センサ１４ｃ，１５ａの情報を入力し
て、ヒートポンプ給湯機２、温水ヒータ３および循環ポンプ１７ａを作動させるためのも
のである。
【００３０】
このように、構成されているので、給湯栓４を操作することにより、貯湯タンク１に貯
留されている高温（約９０度Ｃ）の湯は、給湯配管１３の途中で、ミキシングバルブ５で
、給水枝管１１Ａからの水道水および戻り配管２１内の湯と混合し、所定の温度（約６５
度Ｃ）にして供給される。そして、給湯栓４からは、給湯栓４の手前に別途設けられたミ
キシングバルブ４ａによって、給水枝管１１Ｂからの水道水と混合され、約４０度Ｃにし
たもので供給される。
【００３１】
貯湯タンク１へは、給湯栓４から出湯される度に給水管１１を介して水道水が補給され
る。そして、貯湯タンク１内の湯温が所定の値以下になると、ヒートポンプ給湯機２、温
水ヒータ３のいずれかまたは両方を作動させ、貯湯タンク１の下部から低温の湯を導入し
て加熱し、注湯管１２、１５によって貯湯タンク１の上部へ送り込まれる。
ヒートポンプ給湯機２による加熱は時間がかかり、また、５５度Ｃ以上では効率が悪い
という欠点があるので、各温度センサの情報や湯量の状況に応じて、ヒートポンプ給湯機
か温水ヒータ３を作動させるように制御している。
【００３２】
湯が使用されていない（給湯栓４が閉鎖されている）ときは、循環ポンプ２１ａによっ
て、戻り配管２１を通り、ミキシングバルブ５から給湯栓４へと循環する。また、戻り配
管２１から分岐配管２２へも流れ、低温管１４から熱交換器３Ａを経由し、注湯管１５か
ら給湯配管１３を通ってミキシングバルブ５へ循環する。
分岐配管２２を流れる循環湯は、温水ヒータ３の熱媒水で加温されて給湯配管１３へ流
れるが、戻り配管２１、分岐配管２２内の湯温が所定の温度以下になると、温度センサ１
４ｃが制御盤７へ報知し、温水ヒータ３を稼働させる。これにより、熱媒水が加温され、
循環ポンプ１７ａで熱交換器３Ａへ循環させて分岐配管２２の湯を加温して注湯管１５か
ら給湯配管１３へ送られる。
【００３３】
請求項1に記載の発明の実施の形態を図３に基づいて説明する。
図３は、図２に対応するもので、ヒートポンプ給湯機２から貯湯タンク１への経路につ
いては、図１と同じであり省略している。また、図２に示した各部と共通する部分につい
ては、同一の符号を付し、その説明を省略する。
図３に示す実施の形態が図２と相違する点は、給湯配管１３に接続した戻り配管２１を
ミキシングバルブ５の下流側へ接続するとともに、戻り配管２１内に副ミキシングバルブ
４３を設け、これと、熱交換器３Ａの出力側の注湯管１５を高温管４１で接続したことで
ある。
【００３４】
給湯配管１３は、貯湯タンク１の上部からミキシングバルブ５を介して給湯栓４へ接続
され、これに、戻り配管２１が接続され、端末は給湯配管１３のミキシングバルブ５の下
流側へ接続されている。そして、戻り配管２１の途中に分岐配管２２の一端を接続し、他
端を貯湯タンク１の下部から熱交換器３Ａへの低温管１４に接続されている。
【００３５】
そして、戻り配管２１中の分岐配管２２の分岐部２３より下流側に副ミキシングバルブ
４３が設けられ、この一端は熱交換器３Ａからの注湯管１５に接続した高温管４１が接続
されている。また、戻り配管２１の分岐部２３には、副ミキシングバルブ４３に接続され
る分岐管４２が接続されている。
すなわち、副ミキシングバルブ４３は、高温管４１と、給湯栓４への給湯配管１３と、
給湯栓４を経由した戻り配管２１と、戻り配管２１から枝分かれした分岐管４２とに接続
されている。
【００３６】
このように構成されているので、給湯栓４から出湯されていないときは、戻り配管２１
内の湯は、循環ポンプ２１ａによって副ミキシングバルブ４３を介して給湯配管１３へと
循環する。
副ミキシングバルブ４３へは、分岐部２３から直進するものと、分岐管４２を介するも
のと、高温管４１を介して流入する高温の湯と混合して所定の温度（約６５度Ｃ）にして
、給湯配管１３へ送り込んでいる。
なお、分岐管４２を通って流れる戻り湯は、戻り配管２１を流れるものより少なく、分
岐配管２２および高温管４１を循環する湯量との関係で変動する。
分岐配管２２を流れる循環湯は、温水ヒータ３の熱媒水で加温されて高温管４１へ流れ
るが、分岐配管２２内の湯温が所定の温度以下になると、温度センサ１４ｃから制御盤７
へ信号が送られ、温水ヒータ３を稼働させ、熱交換器３Ａの熱媒水を加温する。
【００３７】
次に、請求項3に記載の発明の実施の形態を図４に基づいて説明する。
図４は、図２に対応するもので、ヒートポンプ給湯機２から貯湯タンク１への経路につい
ては、図１と同じであり省略している。また、図２に示した各部と共通する部分について
は、同一の符号を付し、その説明を省略する。
図２との相違は、温水ヒータ３に熱交換器３Ａとは別に副熱交換器３Ｂを設け、戻り配管２１と副熱交換器３Ｂとを分岐配管３３で接続したことである。
【００３８】
貯湯タンク１の上部から給湯栓４へミキシングバルブ５を介して給湯配管１３が接続さ
れ、これに戻り配管２１が接続され、その端末はミキシングバルブ５へ接続されている。
そして、戻り配管２１の途中に分岐配管３３の一端が接続され、他端は温水ヒータ３の
副熱交換器３Ｂの入口側へ接続されている。また、副熱交換器３Ｂの出口側は給湯配管１
３のミキシングバルブ５より上流側に接続されている。
副熱交換器３Ｂは、熱交換器３Ａと同様のものであり、ガスまたは灯油で加熱した熱媒
水を、循環ポンプ３２ａで熱交換器３Ｂへ送っている。熱媒水は熱交換器３Ａと共用して
おり、３１、３２は熱交換器３Ｂへ循環させるための配管である。
なお、温水ヒータ３の熱交換器３Ａは、入口側は貯湯タンク１の下部からの低温管１４
が接続され、出口側は貯湯タンク１の上部と注湯管１５で接続されている。
【００３９】
このように構成されているので、給湯栓４から出湯されていないときは、戻り配管２１
内の湯は、循環ポンプ２１ａによってミキシングバルブ５へ送られ、給湯栓４へと循環す
る。また、戻り配管２１から分岐配管３３を通して熱交換器３Ｂの入口側へも流れ、温水
ヒータ３の熱媒水で加温されて、高温管３４から給湯配管１３へ流れる。
【００４０】
分岐配管２２内の湯温が所定の温度以下になると、温度センサ３３ａが制御盤７へ信号
を出し、温水ヒータ３を稼働させ、加温した熱媒水が熱交換器３Ｂを循環させる。
温水ヒータ３は、貯湯タンク１内の湯を加温するための熱交換器３Ａのほかに戻り配管
２１の循環路内の湯を加温する熱交換器３Ｂを備えているので、貯湯タンク１内の湯の加
温と、戻り配管２１内の湯の加温を同時に行うことができる。
【００４１】
次に、請求項4に記載の発明の実施の形態を図５に基づいて説明する。
図５は、図３に対応するものである。ヒートポンプ給湯機２から貯湯タンク１への経路に
ついては、図１と同じであり省略している。また、図３に示した各部と共通する部分につ
いては、同一の符号を付し、その説明を省略する。
図３の実施の形態との相違は、温水ヒータ３に熱交換器３Ａとは別に副熱交換器３Ｂを
設け、戻り配管２１と副熱交換器３Ｂとを分岐配管３３で接続したことである。
【００４２】
給湯配管１３は、貯湯タンク１の上部からミキシングバルブ５を介して給湯栓４へ接続さ
れ、これに、戻り配管２１が接続され、端末は給湯配管１３のミキシングバルブ５の下流
側へ接続されている。そして、戻り配管２１の途中に分岐配管３３の一端が接続され、他
端は温水ヒータ３の副熱交換器３Ｂの入口側へ接続されている。
【００４３】
そして、戻り配管２１中の分岐配管３３の分岐部２３より下流側に副ミキシングバルブ
４３が設けられ、この一端は熱交換器３Ｂからの高温管４５に接続されている。また、戻
り配管２１の分岐部２３からは、副ミキシングバルブ４３に接続される分岐管４２が接続
されている。
すなわち、副ミキシングバルブ４３は、高温管４５と、給湯栓４への給湯配管１３と、
給湯栓４を経由した戻り配管２１と、戻り配管２１から枝分かれした分岐管４２とに接続
されている。
なお、温水ヒータ３の熱交換器３Ａは、貯湯タンク１の下部に低温管１４で接続される
とともに、注湯管１５で貯湯タンク１の上部へ接続されている。
【００４４】
このように構成されているので、給湯栓４から出湯されていないときは、戻り配管２１
内の湯は、循環ポンプ２１ａによって副ミキシングバルブ４３を介して給湯配管１３へと
循環される。
また、戻り配管２１から分岐配管３３を通して熱交換器３Ｂの入口側へも流れ、温水ヒー
タ３の熱媒水で加温されて、高温管４５から副ミキシングバルブ４３へ流れる。
戻り配管２１内の湯は、副ミキシングバルブ４３へは、分岐部２３から直進するものと、
分岐管４２を介するものがあり、副ミキシングバルブ４３では、これと高温管４５からの
湯を混合して所定の温度のものとして給湯配管１３へ送っている。
【００４５】
分岐配管３３内の湯温が所定の温度以下になると、温度センサ３３ａが制御盤７へ信号
を出し、温水ヒータ３を稼働させ、加温した熱媒水が熱交換器３Ｂを循環させる。
温水ヒータ３は、貯湯タンク１内の湯を加温するための熱交換器３Ａのほかに戻り配管
２１の循環路内の湯を加温する熱交換器３Ｂを備えているので、貯湯タンク１内の湯の加
温と、戻り配管２１内の湯の加温を同時に行うことができる。
【符号の説明】
【００４６】
１  貯湯タンク
２  ヒートポンプ給湯機
３  温水ヒータ
３Ａ  熱交換器
３Ｂ  副熱交換器
４  給湯栓
４ａ  ミキシングバルブ
５  ミキシングバルブ
６  給水源
７  制御盤
８  膨張タンク
１１  給水管
１１Ａ  給水枝管
１１Ｂ  給水枝管
１２  注湯管
１３  給湯配管
１４  低温管
１４ａ  循環ポンプ
１４ｂ  逆止弁
１４ｃ  温度センサ
１５  注湯管
１５ａ  温度センサ
１６  配管
１７  配管
１７ａ  循環ポンプ
２１  戻り配管
２１ａ  循環ポンプ
２１ｂ  流量調整弁
２１ｃ  流量計
２２  分岐配管
２３  分岐部
３１  配管
３２  配管
３２ａ  循環ポンプ
３３  分岐配管
３３ａ  温度センサ
３４  高温管
４１  高温管
４２  分岐管
４３  副ミキシングバルブ
４５  高温管
５１  給湯管
５２  戻り配管
５３  返湯管
【図１】
0005860276.tif 000002
【図２】
0005860276.tif 000003
【図３】
0005860276.tif 000004
【図４】
0005860276.tif 000005
【図５】
0005860276.tif 000006
【図６】
0005860276.tif 000007